(57)【要約】【課題】一眼レフのデジタルカメラにおいて、撮像用レンズの交換時等に内部に侵入した塵埃などの異物をユーザが意識することなく、充電の際に並行して除去し、イメージセンサを清浄化するカメラ用充電装置を提供する。【解決手段】撮像用レンズを着脱自在に保持するためのレンズ接合部３を有するデジタルカメラＡのレンズ接合部３に接合されて、カメラの内部の充電池２に対して充電電流を供給するカメラ用充電装置Ｂであって、レンズ接合部３に対して着脱自在なカメラ接合部１１と、カメラ接合部１１においてレンズ接合部側の電気的接続部４に対して電気的に接続・分離可能な状態に設けられ、充電池２に対して充電電流の供給を行う電気的接続部１２と、カメラ接合部１１に内蔵され、カメラ接合部１１にレンズ接合部３を介して接合されるカメラＡの内部、特にイメージセンサ１に対する清浄化を行う清浄化作用部Ｃとを備える。【選択図】図２
2007306292.tif 000002
【特許請求の範囲】
【請求項１】
撮像用レンズを着脱自在に保持するためのレンズ接合部を有するカメラの前記レンズ接合部に接合されて、前記カメラの内部の充電池に対して充電電流を供給するカメラ用充電装置であって、
前記カメラにおける前記レンズ接合部に対して着脱自在なカメラ接合部と、
前記カメラ接合部において前記レンズ接合部側の電気的接続部に対して電気的に接続・分離可能な状態に設けられ、前記充電池に対して充電電流の供給を行う電気的接続部と、
前記カメラ接合部に内蔵され、前記カメラ接合部に前記レンズ接合部を介して接合される前記カメラの内部に対する清浄化を行う清浄化作用部とを備えたカメラ用充電装置。
【請求項２】
前記清浄化作用部は、前記カメラ接合部の開口部外側に向けて照明光を照射する光源と、前記電気的接続部どうしの接続検出部と、前記接続検出部の検出動作に応じて前記光源を駆動する光源駆動部と、前記接続検出部の検出動作に応じて前記カメラ内部のイメージセンサを駆動するイメージセンサ駆動部と、前記イメージセンサからの画像信号を取り込むセンサ画像入力部と、取り込んだ画像信号から前記カメラ内部の異物を判断する異物判断部と、前記異物判断部による判断結果に基づいて清浄化を制御する清浄化制御部とを備えている請求項１に記載のカメラ用充電装置。
【請求項３】
前記異物判断部は、前記異物の存在箇所を判断し、前記清浄化制御部は、前記異物判断部による異物存在箇所に応じて前記清浄化作用部による清浄化の集中箇所を制御する請求項２に記載のカメラ用充電装置。
【請求項４】
前記異物判断部は、前記異物の個数を判断し、前記清浄化制御部は、前記異物判断部による異物個数に応じて前記清浄化作用部による清浄化の強度を制御する請求項２に記載のカメラ用充電装置。
【請求項５】
前記異物判断部は、前記異物の存在箇所および個数を判断し、前記清浄化制御部は、前記異物判断部による異物存在箇所および異物個数に応じて前記清浄化作用部による清浄化の集中箇所および強度を制御する請求項２に記載のカメラ用充電装置。
【請求項６】
さらに、前記清浄化作用部は、日付を継続的に管理するカレンダー部と、清浄化の最新の実行の日付を記憶する実行日付記憶部と、充電の起動時に前記カレンダー部による現在の日付を前記実行日付記憶部から読み出した前回清浄化時の日付と比較して清浄化の必要の有無を判断する清浄化必要性判断部とを備えている請求項２から請求項５までのいずれかに記載のカメラ用充電装置。
【請求項７】
前記清浄化作用部は、その清浄化の要素として液体を用いる請求項１から請求項６までのいずれかに記載のカメラ用充電装置。
【請求項８】
前記清浄化作用部は、その清浄化の要素として気体を用いる請求項１から請求項６までのいずれかに記載のカメラ用充電装置。
【請求項９】
前記清浄化作用部は、その清浄化の要素として粘着剤を用いる請求項１から請求項６までのいずれかに記載のカメラ用充電装置。
【発明の詳細な説明】
【技術分野】
【０００１】
本発明は、カメラのレンズ接合部に接合してカメラ内部の充電池に対して充電電流を供給するカメラ用充電装置において、カメラ内部を清浄化するための技術に関する。
【背景技術】
【０００２】
近年、一眼レフのデジタルカメラ（デジタル一眼レフカメラ）は、イメージセンサとして画素数が非常に多いものを搭載しており、本格的な写真が撮影できることから、人気が高まりつつある。一眼レフのデジタルカメラは、撮像用レンズが交換が可能であり、様々な特徴を持つ撮像用レンズに付け替えられるので、写真表現の自由度が高い。
【発明の開示】
【発明が解決しようとする課題】
【０００３】
一方、撮像用レンズの交換が可能であるがゆえに一眼レフのデジタルカメラは、塵埃（チリやホコリ）といった異物が内部に侵入する可能性が高い。気づかないうちにイメージセンサに付着した異物は撮像用レンズから入ってきた光を遮ってイメージセンサに影を落とすため、写真の品質を著しく悪化させる。そこで、適時にクリーニングキットなどを用いてクリーニングを実施したり、メーカーのクリーニングサービスを利用する。しかし、一般のユーザにとっては、定期的なクリーニングの実施は面倒であり、また忘れがちである。メーカーのクリーニングサービスは有料で、コスト的な負担が大きい。
【０００４】
そこで、本発明は、カメラに対して適時に行う充電の際に、併せてカメラ内部の清浄化を行えるカメラ用充電装置を提供することを目的とする。
【課題を解決するための手段】
【０００５】
本発明によるカメラ用充電装置は、撮像用レンズを着脱自在に保持するためのレンズ接合部を有するカメラの前記レンズ接合部に接合されて、前記カメラの内部の充電池に対して充電電流を供給するものであって、
前記カメラにおける前記レンズ接合部に対して着脱自在なカメラ接合部と、
前記カメラ接合部において前記レンズ接合部側の電気的接続部に対して電気的に接続・分離可能な状態に設けられ、前記充電池に対して充電電流の供給を行う電気的接続部と、
前記カメラ接合部に内蔵され、前記カメラ接合部に前記レンズ接合部を介して接合される前記カメラの内部に対する清浄化を行う清浄化作用部とを備えたものである。
【０００６】
一眼レフのデジタルカメラなどのカメラに対してその内蔵の充電池に対して充電を行うとき、カメラのレンズ接合部から撮像用レンズを取り外し、代わりにカメラ用充電装置におけるカメラ接合部をカメラのレンズ接合部に接合する。この接合により、カメラ接合部側の電気的接続部がレンズ接合部側の電気的接続部に対して電気的に接続される。レンズ接合部側の電気的接続部は内蔵の充電池に配線を介して接続されている。したがって、カメラ用充電装置からカメラ内部の充電池に対して充電可能な状態となる。この充電の形態の際に、カメラ接合部に内蔵の清浄化作用部がレンズ接合部の開口部を介してカメラの内部に向き合い、清浄化作用部のカメラに対するセッティングが簡便に実現される。そして、清浄化作用部を駆動することにより、カメラの内部を清浄化することが可能となる。撮像用レンズの交換の際や充電の際にカメラ内部に異物が入ったとしても、あるいはカメラ内部のイメージセンサに異物が付着していても、その異物を充電の際の清浄化作用部の駆動によって除去することが可能である。このようなカメラ内部の清浄化を、カメラ内部の充電池に対する充電の際に実行できるので、取り扱いが大変便利である。このように、充電と並行してカメラ内部をクリーニングするので、ユーザは特に意識しなくても、カメラ内部を清浄状態に保つことができる。クリーニングキットなどを用いたクリーニングやメーカーによるクリーニングサービスを利用しなくても、つまり余計な手間や費用をかけなくても、カメラ内部を清浄に保ち、写真の品質を高く保つ上で有効となる。
【０００７】
より具体的レベルでの好ましい態様として、次のような構成を挙げることができる。すなわち、上記の構成において、前記清浄化作用部は、前記カメラ接合部の開口部外側に向けて照明光を照射する光源と、前記電気的接続部どうしの接続検出部と、前記接続検出部の検出動作に応じて前記光源を駆動する光源駆動部と、前記接続検出部の検出動作に応じて前記カメラ内部のイメージセンサを駆動するイメージセンサ駆動部と、前記イメージセンサからの画像信号を取り込むセンサ画像入力部と、取り込んだ画像信号から前記カメラ内部の異物を判断する異物判断部と、前記異物判断部による判断結果に基づいて清浄化を制御する清浄化制御部とを備えているという態様がある。
【０００８】
さらに、前記異物判断部は、前記異物の存在箇所を判断し、前記清浄化制御部は、前記異物判断部による異物存在箇所に応じて前記清浄化作用部による清浄化の集中箇所を制御するという態様がある。あるいは、前記異物判断部は、前記異物の個数を判断し、前記清浄化制御部は、前記異物判断部による異物個数に応じて前記清浄化作用部による清浄化の強度を制御するという態様もある。あるいは、前記異物判断部は、前記異物の存在箇所および個数を判断し、前記清浄化制御部は、前記異物判断部による異物存在箇所および異物個数に応じて前記清浄化作用部による清浄化の集中箇所および強度を制御するという態様もある。
【０００９】
充電装置のカメラ接合部にカメラのレンズ接合部を接合すると、カメラ接合部側の電気的接続部とレンズ接合部側の電気的接続部とが接続状態となり、接続検出部が動作する。これに応じて、光源駆動部が起動されて光源が動作し、カメラ内部に向けて照明光を照射するとともに、イメージセンサ駆動部が起動されて電気的接続部を介してカメラ内部のイメージセンサが駆動され、イメージセンサは照明光の画像を捕捉する。カメラ内部に異物があれば、イメージセンサはその異物をとらえる。特に、イメージセンサに付着している異物の捕捉を重視する。イメージセンサがとらえた画像信号は電気的接続部を介して画像入力部に取り込まれ、さらに異物判断部においてカメラ内部の異物の状態が判断される。この異物判断結果は清浄化制御部に送られ、清浄化制御部は異物判断結果に基づいて清浄化の態様を制御する。
【００１０】
詳しくは、異物判断部がカメラ内部における異物の存在箇所を判断し、清浄化制御部は、その異物存在箇所に応じて清浄化作用部による清浄化の集中箇所を制御する。あるいは、異物判断部が異物の個数を判断し、清浄化制御部は、その異物個数に応じて清浄化作用部による清浄化の強度を制御する。あるいは、異物判断部が異物の存在箇所および個数を判断し、清浄化制御部は、その異物存在箇所および異物個数に応じて清浄化作用部による清浄化の集中箇所および強度を制御する。このように清浄化の態様を制御することにより、高い清浄化性能を発揮させることができる。
【００１１】
また、上記において、さらに、前記清浄化作用部は、日付を継続的に管理するカレンダー部と、清浄化の最新の実行の日付を記憶する実行日付記憶部と、充電の起動時に前記カレンダー部による現在の日付を前記実行日付記憶部から読み出した前回清浄化時の日付と比較して清浄化の必要の有無を判断する清浄化必要性判断部とを備えているという態様がある。
【００１２】
これにより、時々に行われるカメラ内部の充電池に対する充電の実行に際して、カメラ内部の清浄化の必要性の判断を行い、清浄化が必要な時期が到来している場合には、清浄化を実行してカメラ内部を定常的に清浄な状態に保つとともに、清浄化の実行を必要以上に行うことを避けることが可能となる。
【００１３】
なお、前記清浄化作用部における清浄化の要素としては、洗浄液などの液体を用いて異物を洗い流すのでもよいし、気体噴射を用いて異物を吹き飛ばすのでもよいし、粘着剤を用いて異物を付着して除去するのでもよい。
【発明の効果】
【００１４】
本発明によれば、適時に実施する充電と並行してカメラ内部を清浄化するので、ユーザは特に意識しなくても、カメラ内部を清浄状態に保つことができ、写真の品質を高く保つ上で有効となる。しかも、クリーニングキットやクリーニングサービスなど余計な負担は解消することができる。
【発明を実施するための最良の形態】
【００１５】
以下、本発明にかかわる清浄化機能付きのカメラ用充電装置の実施の形態について図面を参照しながら説明する。
【００１６】
（実施の形態１）
図１は、本発明の実施の形態１における一眼レフのデジタルカメラＡの概要を撮像用レンズを外した状態で示す概略正面図である。図２は、本発明の実施の形態１におけるカメラ用充電装置ＢをカメラＡに接合した様子を示している（一部破断状態）。充電装置Ｂは、カメラＡに接合されて、カメラＡの内部の充電池２に対して充電電流を供給するとともに、カメラＡの内部を清浄化するものとして構成されている。
【００１７】
カメラＡは、図示しない撮像用レンズを通って入射してくる被写体像を撮像するためのイメージセンサ１と、内部の各回路部を駆動するための充電池２を内蔵しているとともに、イメージセンサ１の正面に撮像用レンズを接続するための筒状のレンズ接合部３を備え、レンズ接合部３の軸方向端面には電気的接続部４が設けられている。イメージセンサ１は、撮像用レンズを通して到達した光学像を電気信号に変換する。レンズ接合部３は、撮像用レンズを物理的および電気的に接続する部分である。撮像用レンズは、レンズ接合部３に対して着脱自在であり、レンズ接合部３にかみ合わせることによりカメラＡに装着され、利用可能となる。電気的接続部４は、レンズ接合部３が撮像用レンズと完全にかみ合わさった状態で、撮像用レンズ側の電気的接続部と導通状態となり、撮像用レンズに搭載されたモータを駆動してオートフォーカスを実現したり、撮像用レンズのスペックや品番等の情報をやり取りを行う。
【００１８】
充電装置Ｂは、カメラＡのレンズ接合部３に対して着脱自在なカメラ接合部１１と、カメラ接合部１１の軸方向端面に設けられた電気的接続部１２と、接合状態のカメラＡの内部に対して清浄化を行う清浄化作用部Ｃとを備えている。清浄化作用部Ｃは、カメラ接合部１１に内蔵されてレンズ接合部３の開口部に向けて清浄化用液を噴出するための清浄化ノズル１３と、内部を照らす光源１４とを有している。光源１４もカメラ接合部１１に内蔵されている。カメラ接合部１１側の電気的接続部１２は、レンズ接合部３側の電気的接続部４に対して電気的に接続・分離可能であり，その接続状態において、充電池２に対して充電電流の供給を行うことができる。すなわち、カメラ接合部１１は、レンズ接合部３に対して物理的、電気的に撮像用レンズと互換性を持っている。撮像用レンズに代えて、充電装置ＢをカメラＡに対して、撮像用レンズを取り付けるのと同じやりかたで接合することが可能である。充電装置Ｂのカメラ接合部１１をカメラＡのレンズ接合部３に接合すると、カメラ接合部１１側の電気的接続部１２がレンズ接合部３側の電気的接続部４に対して自動的に電気的に接続されるようになっている。カメラ内部に対する清浄化用液としては、導電性のないものを使用する。
【００１９】
図３は、清浄化作用部Ｃにおける制御系の構成を示すブロック図である。清浄化作用部Ｃは、カメラ接合部１１の開口部外側に向けて照明光を照射する光源１４と、電気的接続部１２，４どうしの接続状態を検出する接続検出部２１と、接続検出部２１の検出動作に応じて光源１４を駆動する光源駆動部２２と、接続検出部２１の検出動作に応じてカメラ内部のイメージセンサ１を駆動するイメージセンサ駆動部２３と、イメージセンサ１からの画像信号を取り込むセンサ画像入力部２４と、取り込んだ画像信号からカメラ内部の塵埃等の異物を判断する異物判断部２５と、判断結果に基づいて清浄化ノズル１３による清浄化動作を制御する清浄化制御部２６とを備えている。これらの各部は、充電装置Ｂの全体の制御を行うＣＰＵ２０に接続されている。ＣＰＵ２０には、充電の制御を行う充電制御部３０も接続されている。
【００２０】
異物判断部２５は、センサ画像入力部２４がイメージセンサ１から取り込んだ画像信号から塵埃などの異物の存在箇所および個数を判断するように構成され、清浄化制御部２６は、異物判断部２５による判断結果の異物存在箇所および異物個数に応じて清浄化ノズル１３による清浄化の集中箇所および強度を制御するように構成されている。
【００２１】
次に、上記のように構成された本実施の形態の充電装置Ｂの動作を説明する。図４は充電装置Ｂの動作を示すフローチャートである。
【００２２】
充電装置Ｂのカメラ接合部１１に対してカメラＡのレンズ接合部３が接合され、カメラＡ側の電気的接続部４と充電装置Ｂ側の電気的接続部１２とが接触し電気的かつ物理的に接続されると、接続検出部２１が電気的接続を検出し、これに応じてＣＰＵ２０は、充電制御部３０を起動して電気的接続部１２を通して、カメラＡの内部の充電池２に対して給電を行う。充電池２は、カメラＡに内蔵された電気回路により充電装置Ｂから給電された電力によって充電され、充電が完了すると給電を停止する。
【００２３】
上記と並行して、接続検出部２１が電気的接続を検出すると、ＣＰＵ２０は、光源制御部２２を起動して光源１４を駆動し、照明光を照射させる。照明光は、筒状のカメラ接合部１１およびレンズ接合部３を介してカメラＡの内部を照らす。照明光はイメージセンサ１に入射する。
【００２４】
さらに、ＣＰＵ２０は、イメージセンサ駆動部２３を制御して電気的接続部１２，４を介してイメージセンサ１を駆動し、イメージセンサ１から得られた画像信号を電気的接続部１２，４を介してセンサ画像入力部２４に取り込み、異物判別部２５によって入力画像を判別してイメージセンサ１に付着する塵埃等の異物の有無や、個数、位置を判断し、清浄化方法を決定する。そして、清浄化制御部２６は清浄化ノズル１３を制御して異物状態に応じた清浄化に最適な状態で清浄化用液を噴射するように清浄化ノズル１３を制御する。これにより、カメラＡの内部の清浄化が行われる。清浄化用液は導電性をもたないため、回路系における電気的な短絡は回避され、安全性が保たれる。
【００２５】
具体的には、イメージセンサ１に写る画像によって、例えば、多数の異物が複数個所に存在する場合は、清浄化ノズル１３の噴射角度を広げ、清浄化用液の液量を増やして洗い流す方法をとる。一方、少数の異物が一箇所に存在する場合は、清浄化ノズル１３の噴射角度を狭めて、清浄化用液の液圧を上げて吹き飛ばす方法をとる。以上のように、異物の場所を事前に調査した上で清浄化を行うため、効率的な清浄化が実現可能である。さらに、清浄化用液の噴射による清浄化では機械的な応力がイメージセンサ１にかからないため、異物のこすりによる傷は防止される。
【００２６】
（実施の形態２）
図５は、本発明の実施の形態２におけるカメラ用充電装置ＢをデジタルカメラＡに接合した様子を示している（一部破断状態）。実施の形態１の場合の清浄化ノズルと光源の代わりに、吸排気ホース１５と吸気口１６と排気口１７とを備えている。吸排気ホース１５は、充電装置Ｂの本体部に内蔵されている吸排気ポンプ（図示せず）に連通接続されている。吸排気ホース１５は、蛇腹状に構成されている。
【００２７】
吸排気ポンプを駆動すると、吸排気ホース１５からの吸引によりカメラ内部の空気が減圧され、清浄な空気が吸気口１６から吸引される。吸気口１６にはエアーフィルタが装着されており、空気中の異物を除去する。このようにして吸気口１６から取り込まれた清浄な空気流はカメラ内部、イメージセンサ１の表面を清浄化し、塵埃などの異物を含んだ空気は排気口１７を介して外部に排出される。カメラ内部に負圧が生じるとしても、吸気口１６からの吸気があるために、カメラＡや充電装置Ｂへ負担をかけることはなく、またクリーニング効率の低下は生じない。また、空気を利用するため、清浄化材の補充の必要がない。吸気口１６におけるエアーフィルタは交換可能となっている。
【００２８】
吸排気ホース１５は蛇腹状に構成されていて多少の変位が可能である。異物がイメージセンサ１の端の部分に付着していたとしても、吸排気ホース１５は端から順番に全面に作用するため、その異物を吸い出すことが可能である。
【００２９】
（実施の形態３）
図６（ａ）は、本発明の実施の形態３におけるカメラ用充電装置ＢをデジタルカメラＡに接合した様子を示し（一部破断状態）、図６（ｂ）は異物の除去手段としの粘着テープホルダーを示している。実施の形態１の場合の清浄化ノズルと光源の代わりに、外周に粘着テープ１８が巻き付けられた粘着テープホルダー１９を備えている。粘着テープホルダー１９には、粘着テープ１８を繰り出すテープ送り機構（図示せず）が設けられている。粘着テープホルダー１９は、筒状のカメラ接合部１１の内部において出退自在に設けられている。粘着テープホルダー１９をイメージセンサ１に密着させて、イメージセンサ１に付着している異物を粘着テープ１８に付着させ、異物を除去することにより、イメージセンサ１を清浄化する。一般に用いられている粘着テープと同様に、粘着力が落ちたときには、テープ送り機構によって送り出すことにより粘着テープ１８の新しい面を使うようにし、粘着力を常に一定にして、粘着テープ１８に付着した異物が再付着することを防ぐ。
【００３０】
本実施の形態によれば、粘着テープを直接密着するため、より完全に異物を除去できる。また、電気的な短絡の防止のために高価な非導電性の清浄化液を用いなくてもよい。
【００３１】
図７は実施の形態３の場合の好ましい制御系の構成を示す。２７は日付を継続的に管理するカレンダー部、２８は清浄化の最新の実行の日付を記憶する実行日付記憶部、２９は充電の起動時にカレンダー部２７による現在の日付を実行日付記憶部２８から読み出した前回清浄化時の日付と比較して清浄化の必要の有無を判断する清浄化必要性判断部、３１は粘着テープホルダー１８の駆動機構である。
【００３２】
時々に行われるカメラ内部の充電池２に対する充電の実行に際して、接続検出部２１が電気的接続を検出すると、ＣＰＵ２０は、カレンダー部２７、実行日付記憶部２８および清浄化必要性判断部２９を起動する。清浄化必要性判断部２９は、カレンダー部２７から現在の日付を読み出すとともに、実行日付記憶部２８から前回清浄化時の日付を読み出して、両者の日付を比較し、清浄化の必要の有無を判断する。両者の日付の差分値がある一定の基準を満たしていたら、清浄化が必要であると判断する。例えば、所定のしきい値の日数として２０日が設定されている場合、最後に清浄化を行ったのが１９日前以前であれば清浄化を行わず、２０日以上経過しておれば清浄化を実施するということになる。しきい値の日数について、ユーザが設定できるように構成してもよい。清浄化必要性判断部２９が清浄化を必要と判断したときは、清浄化必要性判断部２９は清浄化制御部２６を起動し、粘着テープホルダー１８の駆動機構３１を駆動してイメージセンサ１の清浄化を行う。
【００３３】
使い捨てのテープを利用することから、充電の都度、必ず清浄化を実行するのではコストが高くつく。本実施の形態のように、清浄化が必要な時期の判断を行って、その時期が到来している場合には清浄化を実行してカメラ内部を定常的に清浄な状態に保つとともに、清浄化の実行を必要以上に行うことを避け、ランニングコストを低減することが可能となる。
【００３４】
カレンダー部２７、実行日付記憶部２８および清浄化必要性判断部２９の構成を実施の形態１や実施の形態２に適用してもよい。図８は、実施の形態１に適用した場合の制御系の構成を示す。
【００３５】
なお、本発明においては、一眼レフのデジタルカメラの構成については、必ずしもここで示したものである必要はなく、必要に応じて他の構成としてもよい。
【産業上の利用可能性】
【００３６】
本発明のカメラ用充電装置は、一眼レフのデジタルカメラ等において、撮像用レンズが交換可能であるゆえに塵埃などの異物がカメラ内部に侵入しイメージセンサに付着して写真の品質を悪化させることに対して、カメラに内蔵の充電池に対する充電を行う際に、充電と並行してカメラ内部を清浄化する技術として有用である。
【図面の簡単な説明】
【００３７】
【図１】本発明の実施の形態１における一眼レフのデジタルカメラの概要を撮像用レンズを外した状態で示す概略正面図
【図２】本発明の実施の形態１におけるカメラ用充電装置をカメラに接合した状態の一部破断の平面図
【図３】本発明の実施の形態１における清浄化作用部の制御系の構成を示すブロック図
【図４】本発明の実施の形態１におけるカメラ用充電装置の動作説明に用いるフローチャート
【図５】本発明の実施の形態２におけるカメラ用充電装置をカメラに接合した状態の一部破断の平面図
【図６】本発明の実施の形態３におけるカメラ用充電装置をカメラに接合した状態の一部破断の平面図と粘着テープホルダーの外観を示す斜視図
【図７】本発明の実施の形態３における清浄化作用部の制御系の構成を示すブロック図
【図８】本発明の実施の形態１における清浄化作用部の制御系の変形の構成を示すブロック図
【符号の説明】
【００３８】
Ａ  一眼レフのデジタルカメラ
Ｂ  カメラ用充電装置
Ｃ  清浄化作用部
１  イメージセンサ
２  充電池
３  レンズ接合部
４  レンズ接合部側の電気的接続部
１１  カメラ接合部
１２  カメラ接合部側の電気的接続部
１３  清浄化ノズル
１４  光源
１５  吸排気ホース
１６  吸気口
１７  排気口
１８  粘着テープ
１９  粘着テープホルダー
２０  ＣＰＵ
２１  接続検出部
２２  光源駆動部
２３  イメージセンサ駆動部
２４  センサ画像入力部
２５  異物判断部
２６  清浄化制御部
２７  カレンダー部
２８  実行日付記憶部
２９  清浄化必要性判断部
３０  充電制御部
３１  粘着テープホルダーの駆動機構
【図１】
2007306292.tif 000003
【図２】
2007306292.tif 000004
【図３】
2007306292.tif 000005
【図４】
2007306292.tif 000006
【図５】
2007306292.tif 000007
【図６】
2007306292.tif 000008
【図７】
2007306292.tif 000009
【図８】
2007306292.tif 000010